(57)【要約】【課題】ラトルバック運動をより身近で楽しむことができるようになり、しかも、筆記具本来の記述性能と組み合わせることにより、ラトルバック運動の使用方法を各個人の好みに応じて自由に工夫することが可能になり、更には、形状自体が筆記具として馴染み易く、筆記具としても使い易いラトルバック運動構造付き筆記具を提供する。【解決手段】横向きに置くと点接触する一側面を有し、該側面の長手両端を左右方向として、長手中央部分から左右が非対称形状に設けられ、且つ、重心も長手中央から僅かにずれた筒状のホルダー体１を形成し、該ホルダー体１の一側面を下にして一方向に水平回転させると、ラトルバック運動をする回転側面２を設け、該ホルダー体１に筆記具１０の一部を収納するように設ける。【選択図】図１
0003135337.tif 000002
【実用新案登録請求の範囲】
【請求項１】
略筒状を成し、横向きに置くと点接触する回転側面を設け、該回転側面の長手両端を左右方向として長手中央部分から左右が非対称形状に設けられ、且つ、重心を回転側面の長手中央から僅かにずれた位置に設定し、回転側面を下にして一方向に水平回転させるとラトルバック運動をするホルダー体を設け、該ホルダー体に筆記具の一部を収納するように設けたことを特徴とするラトルバック運動構造付き筆記具。
【請求項２】
前記ラトルバック運動とは、水平回転状態から上下振動状態が生じ、その後回転が停止して逆方向に水平回転し始めたり、あるいは、停止した状態の長手端部を上下に揺らすとある一方向に水平回転し始めたりする運動であり、前記ホルダー体は、筆記具をホルダー体の内部に収納した状態でラトルバック運動するように設けられた請求項１記載のラトルバック運動構造付き筆記具。
【請求項３】
前記ホルダー体は前記筆記具と別体に設けられ、既存の筆記具の軸部をホルダー体の内部に収納するように設けられた請求項１又は２記載のラトルバック運動構造付き筆記具。
【請求項４】
前記ホルダー体は前記筆記具の軸部として筆記具と一体に設けられた請求項１記載のラトルバック運動構造付き筆記具。
【請求項５】
前記筆記具として、ボールペン、万年筆、シャープペンシル、フェルトペン、鉛筆のいずれかをホルダー体１に収納する請求項１乃至４いずれか記載のラトルバック運動構造付き筆記具。
【考案の詳細な説明】
【技術分野】
【０００１】
本考案は、ラトルバック(Rattleback)と称し、不思議な動きをする装飾具又はおもちゃとなどとして知られている構造を利用したラトルバック運動構造付き筆記具に関するものである。
【背景技術】
【０００２】
このラトルバック(RattleBack)とは、アイルランドのケルト人の遺跡で発見された「ケ(セ)ルトの石」と呼ばれるものと同種の構造を有するものである。すなわち、船の底に似た形状で点接触する細長い形をした底面を有し、長手両端を左右方向とすると、長手中央部分から左右が非対称形状になっており、且つ、重心も長手中央から僅かにずれている構造を持つ。
【０００３】
このラトルバックを、ある一方向(例えば時計回り)に水平回転させると、回転状態からしばらくすると上下振動状態が生じ、その後回転が停止して上下振動状態から徐々に時計回転と逆方向に回転し始める動きや、あるいは、停止した状態の長手端部を上下に揺らすと時計回転と逆方向に回転し始める動き（以下、これらの動きを総称してラトルバック運動と称する）を有するものである。
【０００４】
従来、このラトルバックは、このような特殊な運動が注目され、お土産や実験用の教材などとして用いられていた。当考案者は、特許文献１に示されるラトルバックを利用したゲーム用回転指示装置を提案している。この指示装置は、表示盤の任意の位置で回転指示具を水平回転させ、数字を指し示す確率が数字毎に異なるようにしたもので、極めて興趣に富んだゲームを提供するものである。
【０００５】
【特許文献１】実用新案登録第３１２９６５３号
【考案の開示】
【考案が解決しようとする課題】
【０００６】
ところが、特許文献１のように、表示盤と指示装置とを組み合わせたゲーム装置では、常に表示盤と指示装置とをセットにして持ち運ぶ必要があるので、携帯性に課題を残していた。しかも、ラトルバック運動は、それ自体で十分面白みのある運動になっているから、当考案者は、表示盤の指示装置以外にも、このラトルバック運動を有効利用することができるユニークな商品構造について、鋭意研究開発を続けてきたものである。
【０００７】
そこで、本考案は、ラトルバック運動を有効利用することができる構造として筆記具に注目し、ラトルバック運動を有する筆記具を考案することで、このラトルバック運動をより身近で楽しむことができるようになり、しかも、筆記具本来の記述性能と組み合わせることにより、ラトルバック運動の使用方法を各個人の好みに応じて自由に工夫することが可能になり、更には、形状自体が筆記具として馴染み易く、筆記具としても使い易いラトルバック運動構造付き筆記具の提供を目的とするものである。
【課題を解決するための手段】
【０００８】
上述の目的を達成すべく本考案の第１の手段は、略筒状を成し、横向きに置くと点接触する回転側面２を設け、該回転側面２の長手両端を左右方向として長手中央部分から左右が非対称形状に設けられ、且つ、重心を回転側面２の長手中央から僅かにずれた位置に設定し、回転側面２を下にして一方向に水平回転させるとラトルバック運動をするホルダー体１を設け、該ホルダー体１に筆記具１０の一部を収納するように設けたことにある。
【０００９】
第２の手段において、前記ラトルバック運動とは、水平回転状態から上下振動状態が生じ、その後回転が停止して逆方向に水平回転し始めたり、あるいは、停止した状態の長手端部を上下に揺らすとある一方向に水平回転し始めたりする運動であり、前記ホルダー体１は、筆記具１０をホルダー体１の内部に収納した状態でラトルバック運動するように設けている。
【００１０】
第３の手段の前記ホルダー体１は前記筆記具１０と別体に設けられ、既存の筆記具１０をホルダー体１の内部に収納するように設けられたものである。
【００１１】
第４の手段の前記ホルダー体１は前記筆記具１０の軸部１１として筆記具１０と一体に設けられている。
【００１２】
第５の手段は、前記筆記具１０として、ボールペン、万年筆、シャープペンシル、フェルトペン、鉛筆のいずれかをホルダー体１に収納することを課題解消のための手段とする。
【考案の効果】
【００１３】
本考案の請求項１、２によると、略筒状を成し、横向きに置くと点接触する回転側面２を設け、該回転側面２の長手両端を左右方向として長手中央部分から左右が非対称形状に設けられ、且つ、重心を回転側面２の長手中央から僅かにずれた位置に設定
したことで、所謂、ラトルバック運動を奏する。すなわち、該ホルダー体１の一側面を下にして一方向に水平回転させると、回転状態から上下振動状態が生じ、その後回転が停止して逆方向に水平回転し始めたり、あるいは、停止した状態の長手端部を上下に揺らすとある一方向に水平回転し始めたりするようになる。そして、該ホルダー体１に筆記具１０の一部を収納することで、ラトルバック運動を有する筆記具を提供することができる。この結果、筆記具本来の記述性能と組み合わせることにより、ラトルバック運動の使用方法が各個人の好みに応じて自由になる。
【００１４】
また、ホルダー体１を筆記具１０の軸部１１として握ったときに違和感なく使用することができ、回転側面２の形状は、手指になじみ易い形状でもあるから、筆記具１０としての使い勝手を良好にする効果も期待できる。
【００１５】
請求項３により、ホルダー体１は筆記具１０と別体に設けられ、既存の筆記具１０をホルダー体１の内部に収納した状態で前記の如く水平回転し始めるように設けたことで、既存の筆記具１０とホルダー体１とを組み合わせることが可能になり、ラトルバック運動をより身近で楽しむことができるようになった。
【００１６】
請求項４によると、ホルダー体１は、筆記具１０の軸部１１として筆記具１０と一体に設けられることで、筆記具としての使い勝手が更に良好なホルダー体１を形成することができる。
【００１７】
請求項５により、筆記具１０として、ボールペン、万年筆、シャープペンシル、フェルトペン、鉛筆のいずれかを選択してホルダー体１内に収納することで、より多くの筆記具とラトルバック運動とを組み合わせることが可能になる。
【００１８】
このように本考案によると、ラトルバック運動を有する筆記具を提供することで、このラトルバック運動をより身近で楽しむことができるようになり、しかも、筆記具本来の記述性能と組み合わせることにより、ラトルバック運動の使用方法が各個人の好みに応じて自由になり、更には、形状自体が筆記具として馴染み易く、本来の筆記具としても使い易いなどといった有益な種々の効果を奏するものである。
【考案を実施するための最良の形態】
【００１９】
本考案の最良の形態は、略筒状を成し、横向きに置くと点接触する回転側面２を設ける。該回転側面２の長手両端を左右方向として長手中央部分から左右が非対称形状に設ける。且つ、重心を回転側面２の長手中央から僅かにずれた位置に設定し、回転側面２を下にして一方向に水平回転させるとラトルバック運動をするホルダー体１を設ける。該ホルダー体１に筆記具１０の一部を収納することで、当初の目的を達成するものである。
【実施例】
【００２０】
本考案は、ラトルバック運動を奏する構造を利用した筆記具であり、筆記具の軸部１１を収納するホルダー体１（図１参照）又は筆記具の軸部１１（図４参照）として設けられるものである。
【００２１】
ラトルバック運動を奏する構造とは、横向きに置くと点接触する回転側面２を有し、該側面の長手両端を左右方向として、長手中央部分から左右が非対称形状に設けられ、且つ、重心も長手中央から僅かにずれた筒状のホルダー体１を形成した構造である。そして、該ホルダー体１の回転側面２を下にして一方向に水平回転させると、ラトルバック運動をするものである。この回転側面２は、従来周知のラトルバックと同様の形状で、回転側面２を船底状に形成すると共に、長手方向に沿った緩やかな略Ｓ字状をなす稜線を有するように形成したものである。
【００２２】
すなわち、回転側面２の底面部分は、長手方向に於いてその中央部分が下方に突出するような湾曲面状に形成されると共に、一端部部分及び他端部分に行くに従って漸次その厚みが薄くなるように形成され、また、長手方向に直交する幅方向に於いてその略中央部分が下方に突出するような左右非対称な湾曲面状に形成されている。このホルダー体１は、合成樹脂材又は木材、鉱物など任意の材質を使用し、透明、半透明、無色、着色、生成り色にするなど、製造手段は自由な選択が可能である。
【００２３】
このように設けた回転側面２を下にして一方向(例えば時計方向)に水平回転させると、回転状態から上下振動状態が生じ、その後回転が停止して逆方向に水平回転し始める。この場合、はじめから時計と逆方向に水平回転させると、そのまま回転を続けている。また、停止した状態の長手端部を上下に揺らすと、ある一方向(時計と逆方向)に水平回転し始めるものである。
【００２４】
このホルダー体１に筆記具１０の一部を収納する。筆記具１０とは、既存の筆記具であり、例えば、ボールペン、鉛筆、万年筆、シャープペンシル、フェルトペンなど従来から使用されている筆記具をいう。
【００２５】
また、筆記具１０の一部を収納するとは、二つの意味をもつ。一つは、ホルダー体１を筆記具１０と別体に形成した場合で、既存の筆記具１０の一部を収納するとは、例えば筆記具の先端部やクリップを除く軸部１１の部分をホルダー体１内に収納することを意味する（図１参照）。そして、ホルダー体１ごと筆記具１０として使用するものである。
【００２６】
図１乃至図３に示すホルダー体１は、既存のボールペンを収納するホルダー体１を示している。このホルダー体１は、筆記具１０を収納する筒状を成し、開口上部３から筆記具１０を差し込むと、下端部に開口した開口端部４からボールペンのペン先１３が出没する構造を成している。そのため、ホルダー体１の側面から開口端部４にかけて窄まるテーパー７を適宜形成して筆記具としての使い勝手を良好にしている（図２参照）。また、開口上部３には切り欠き状の係止部５を形成し、ホルダー体１に収納したボールペンのクリップ１２を係止するようにしている（図１参照）。また、この係止部５を設けた面を平坦にして平側面６を形成し、回転側面２の区別見分けを容易にしている（図３参照）。尚、この平側面６に代えて、丸みを帯びた側面に変更することも可能である。
【００２７】
筆記具１０の一部を収納するというもう一つの意味は、筆記具の一部である軸部１１をこのホルダー体１で形成し、筆記具１０とホルダー体１とを一体に設けることをいう。すなわち、ここでのホルダー体１は、筆記具の芯やインクカートリッジなどを収納する軸部１１として形成されている（図４、図５参照）。すなわち、このホルダー体１が、例えばボールペン、万年筆、シャープペンシル、フェルトペン、鉛筆を構成する軸部１１として形成されるものである。
【００２８】
図４及び図５に示すホルダー体１は、ボールペンの軸部１１として形成されたホルダー体１を示している。この係止部５は、ボールペンの芯１４やこの芯１４を出没自在にするノック機構１５等を収納する筒状を成し、ホルダー体１が筆記具１０の一部となっているものである（図４参照）。このようにホルダー体１を形成することで、筆記具１０と別体に設けたホルダー体１よりもスリムな構成にでき、また、筆記具１０の種類に対応したホルダー体１を形成できるので、筆記具本来としての使用も良好である。
【００２９】
このように、筆記具１０の一部を収納したホルダー体１は、そもそもラトルバック運動を奏する構造に形成しているので、筆記具１０を収納したままで、回転側面２を下にして筆記具１０を水平回転させると、この筆記具１０が不思議なラトルバック運動をするようになる。したがって、このラトルバック運動に筆記具１０による自由な書き込み等を組み合わせることなどで、使用者の発想に応じた自由な使用が可能になるものである。
【００３０】
尚、図示のホルダー体１の材質、形状、サイズ等は任意に設定できるものであり、また、筆記具１０の種類も従来周知の筆記具から自由に選択できるものである。
【図面の簡単な説明】
【００３１】
【図１】本考案の一実施例を示す分解斜視図である。
【図２】本考案の一実施例を示す縦断面図である。
【図３】本考案の一実施例を示す横断面図である。
【図４】本考案の他の実施例を示す縦断面図である。
【図５】本考案の他の実施例を示す横断面図である。
【符号の説明】
【００３２】
１ ホルダー体
２ 回転側面
３ 開口上部
４ 開口端部
５ 係止部
６ 平側面
７ テーパー
１０ 筆記具
１１ 軸部
１２ クリップ
１３ ペン先
１４ 芯
１５ ノック機構
【図１】
0003135337.tif 000003
【図２】
0003135337.tif 000004
【図３】
0003135337.tif 000005
【図４】
0003135337.tif 000006
【図５】
0003135337.tif 000007